(57)【要約】【課題】応答性が低下することなく、安定したオートカラーコントロールができるオートカラーコントロール回路を提供する。【解決手段】搬送色信号２ａは、ゲイン可変部３でゲイン可変で増幅された後、ＡＣＣ検波部５によりバースト信号の振幅が検出されて、基準レベルとの差に対応したＡＣＣ検波信号４が生成される。このＡＣＣ検波信号４はヒステリシス信号生成部７により、ヒステリシスを有するヒステリシス信号６が生成され、このヒステリシス信号６に基づいてゲイン可変部３のゲインを制御するＡＣＣループを形成する。【選択図】図１
2008113229.tif 000002
【特許請求の範囲】
【請求項１】
搬送色信号に含まれるバースト信号の振幅を検出し、オートカラーコントロール検波信号として出力するオートカラーコントロール検波手段と、
前記オートカラーコントロール検波信号のレベルに応じて、ヒステリシス特性を持たせたヒステリシス信号を出力するヒステリシス信号生成手段と、
前記ヒステリシス信号により前記搬送色信号に対するゲインを可変制御するゲイン可変手段と、
を具備することを特徴とするオートカラーコントロール回路。
【請求項２】
前記ヒステリシス信号生成手段は、前記ヒステリシス制御を行う際、基準値を基準にして第１の範囲が設定され、前記オートカラーコントロール検波信号が前記第１の範囲外から該第１の範囲内に変化したときに前記ヒステリシス信号をゼロとすることを特徴とする請求項１に記載のオートカラーコントロール回路。
【請求項３】
前記ヒステリシス信号生成手段は、前記ヒステリシス制御を行う際、前記基準値を基準にして第２の範囲が設定され、前記オートカラーコントロール検波信号が前記第１の範囲内で、かつ継続して前記第２の範囲内である場合には前記ヒステリシス信号はゼロとなり、前記第２の範囲内から該第２の範囲外に変化したときは前記ヒステリシス信号はオートカラーコントロール検波信号のレベルに応じて変化することを特徴とする請求項２に記載のオートカラーコントロール回路。
【請求項４】
前記オートカラーコントロール検波手段は、前記搬送色信号を増幅する前記ゲイン可変手段を経て復調する復調手段により復調された色差信号に含まれるバースト信号の振幅を検出する検波回路と、該検波回路の出力信号を基準値と比較して、該基準値とのずれ量に対応したオートカラーコントロール検波信号を出力するオートカラーコントロール検波回路とを有することを特徴とする請求項１から３の何れか１つの請求項に記載のオートカラーコントロール回路。
【請求項５】
さらに前記ヒステリシス信号を１水平期間以上の周期で積分する積分手段を有し、該積分手段で積分された前記ヒステリシス信号をゲイン制御信号として前記ゲイン可変手段のゲインを可変制御することを特徴とする請求項１から４の何れか１つの請求項に記載のオートカラーコントロール回路。
【発明の詳細な説明】
【技術分野】
【０００１】
本発明は、カラーテレビジョン信号の搬送色信号の振幅制御を行うオートカラーコントロール回路に関する。
【背景技術】
【０００２】
カラーテレビジョン受信機においては、受信チャンネルを切り換えたり受信電波の変動やアンテナ系の不都合が発生することによって、輝度信号に比べ搬送色信号のレベルが変化し画面の色の濃さが変化する。  
このような現象を抑制するため、カラーテレビジョン受信機には、オートカラーコントロール回路（以下、ＡＣＣ回路と略記）が設けてあり、このＡＣＣ回路においてＡＣＣ検波回路のＡＣＣ検波出力を用いて搬送色信号のレベルを一定に保つようにしている。  
従来例としての例えば特許文献１のＡＣＣ回路は、デジタル化されたクロマ信号のバースト信号の最大値と最小値からその平均値を検出して、ヒステリシス付き比較器にて参照値と比較し、その比較結果の正負を可逆カウンタの制御端子に供給する。
【０００３】
そして、平均値が参照値に近い所定範囲内に入った場合には、平均値を一垂直期間で積分した積分値による比較でＡＣＣループの制御を行い、平均値が所定範囲に近くなるまでは水平パルス毎に比較を行う。  
この特許文献１のＡＣＣ回路は、平均値が所定範囲に近くなるまでは水平パルス毎に比較を行うが、平均値が参照値に近い所定範囲内においては、一垂直期間の積分値で比較を行うようにしてため、その応答性が低下する。
【０００４】
例えば、平均値が参照値に近い所定範囲内に入っている引込状態において、搬送色信号のレベルが一垂直期間より短いインターバルで変化したような場合（例えば受信チャンネルの切り替えの場合）、このＡＣＣ回路は、一垂直期間の積分値で比較を行うために応答性が低下する欠点がある。
【特許文献１】特公平５−７２７９７号公報
【発明の開示】
【発明が解決しようとする課題】
【０００５】
本発明は上述した点に鑑みてなされたもので、応答性が低下することなく、安定したオートカラーコントロールができるオートカラーコントロール回路を提供することを目的とする。
【課題を解決するための手段】
【０００６】
本発明の一実施形態に係るオートカラーコントロール回路は、搬送色信号に含まれるバースト信号の振幅を検出し、オートカラーコントロール検波信号として出力するオートカラーコントロール検波手段と、前記オートカラーコントロール検波信号のレベルに応じたヒステリシス特性を持たせたヒステリシス信号を出力するヒステリシス信号生成手段と、前記ヒステリシス信号により前記搬送色信号に対するゲインを可変制御するゲイン可変手段と、を具備することを特徴とする。
【発明の効果】
【０００７】
本発明によれば、安定したオートカラーコントロールができる。
【発明を実施するための最良の形態】
【０００８】
以下、図面を参照して本発明の実施形態を説明する。  
図１は本発明の一実施形態に係るオートカラーコントロール回路（以下、ＡＣＣ回路と略記）１の基本的な構成を示すブロック図を示す。  
このＡＣＣ回路１は、入力信号として入力される搬送色信号２ａを増幅するゲイン可変部３を有する。このゲイン可変部３によりゲイン（利得）可変で増幅された搬送色信号２ｂは、この搬送色信号２ｂ中におけるバースト信号の振幅を検出し、ＡＣＣ検波信号４として出力するＡＣＣ検波部５に入力される。  
このＡＣＣ検波部５から出力されるＡＣＣ検波信号４は、ヒステリシス特性のヒステリシス信号６を出力するヒステリシス信号生成部７に入力される。
【０００９】
このヒステリシス信号生成部７から出力されるヒステリシス信号６は、ゲイン可変部３におけるゲインを可変制御する信号として印加される。そして、ゲイン可変部３は、入力される搬送色信号２ａをヒステリシス信号６に応じたヒステリシス特性を持って増幅することになる。  
このゲイン可変部３から、オートカラーコントロール（ＡＣＣ）されて増幅された搬送色信号２ｂがＡＣＣ回路１の出力信号として後段側に出力される。  
図１の構成の場合、ゲイン可変部３から出力される搬送色信号２ｂは、図示しない復調回路に入力される構成でも良いし、以下の図２に示すようにゲイン可変部３とＡＣＣ検波部５の間に復調回路１２を配置した構成にしても良い。  
図２は本発明の一実施形態に係るＡＣＣ回路１のより詳細な構成例を示す。
【００１０】
搬送色信号２ａは、ゲイン可変部３を構成するＡＣＣアンプ回路１１に入力される。このＡＣＣアンプ回路１１は、ゲイン制御端子に印加される信号により、入力信号を増幅する際のゲインが制御される。このＡＣＣアンプ回路１１によって増幅された搬送色信号２ｂは、復調回路１２に入力される。  
この復調回路１２は、搬送色信号２ｂに対する復調処理を行い、色差信号１３を出力する。この色差信号１３は、このＡＣＣ回路１から出力されると共に、ＡＣＣ検波部５を構成するピーク検波回路１４に入力される。  
このピーク検波回路１４は、色差信号１３中に含まれるバースト信号の振幅を検出する。また、このピーク検波回路１４には、バースト信号に同期したバーストゲートパルス１５がピーク検波を行う際のゲートパルスとして入力される。
【００１１】
そして、このピーク検波回路１４は、バーストゲートパルス１５が入力されたゲート期間中におけるバースト信号のピーク値を検出してピーク検波信号１６として出力する。なお、バーストゲートパルス１５は、バースト信号が入力される期間中における例えばその両端側を除く中央付近の信号期間中に設定される。  
また、本実施形態では、バースト信号の振幅（に相当する信号）を検出する１例として、バースト信号のピーク値を検出してピーク検波信号として出力する例として説明するが、これに限定されるものでない。この他の１例として、バースト信号の例えば最大値と最小値とを求め、その平均値をバースト信号の振幅に対応した検波信号としても良い。  
上記ピーク検波信号１６は、ＡＣＣ検波回路１７に入力される。このＡＣＣ検波回路１７は入力されるピーク検波信号１６を、基準レベル（基準値）と比較してその基準レベルとのずれ量に対応して正、負の両極性になり得る信号をＡＣＣ検波信号４として出力する。
【００１２】
このＡＣＣ検波信号４は、ヒステリシス信号生成部７に入力される。このヒステリシス信号生成部７から出力されるヒステリシス信号６は、ゲイン可変部３を構成する積分回路１８に入力される。  
この積分回路１８は、入力されるヒステリシス信号６を適宜の周期で積分してゲイン制御信号１９としてＡＣＣアンプ回路１１のゲイン制御端子に印加する。積分回路１８は、後述する動作から分かるように（１水平期間前のゲイン制御信号を保持させる機能を持つため）１水平期間以上の周期で積分するものであれば良い。  
この制限を満たすものであれば、例えば１水平期間より若干長い程度の周期や数水平期間程度の周期に設定する等、任意の周期で積分するものに設定することができる。また、積分回路１８の代わりに、ローパスフィルタ回路を用いても良い。
【００１３】
上記ヒステリシス信号生成部７は、図３に示すように入出力特性がヒステリシス特性を有する。なお、以下の説明では、ピーク検波信号１６は、図４等において説明するようにバースト信号の振幅が大きい程、下側に大きくなる負極性とする（なお、図３，図４，図５，図６においてはＡＣＣ検波信号４等における４等の番号の表記を省略する）。  
また、ゲイン制御信号１９のレベルが高くなる程、ＡＣＣアンプ回路１１は、そのゲインが小さくなる例で説明する。  
ヒステリシス信号生成部７は、図３の横軸で示すＡＣＣ検波信号４を入力信号として、縦軸に示すヒステリシス信号６を出力する。  
このヒステリシス信号生成部７は、ヒステリシス特性を解消した場合には、図３の点線で示すようにＡＣＣ検波信号４が基準レベルの値の場合に相当する原点Ｏを通る線形な入出力特性となる。しかし実際にはヒステリシス信号生成部７は、ヒステリシス特性のために入力信号の過去の状態に依存した実線で示すような入出力特性を持つ。
【００１４】
具体的には、ＡＣＣ検波信号４が、基準レベル側に近づく方向に変化した場合、図３の例では例えば符号（１）、（２）、（３）のように変化した場合、引込範囲の外側、つまり符号（１）、（２）ではＡＣＣ検波信号４の値に応じて線形の入出力特性を示し、その場合にはヒステリシス信号６は０にならない。  
これに対してＡＣＣ検波信号４が、符号（３）のように引込範囲以内になるとヒステリシス信号６は０となる。図３においては符号（２）から（３）の方向に変化する場合、その途中の引込範囲の境界で矢印のように変化し、ヒステリシス信号６は０となる。  
また、ＡＣＣ検波信号４が、引込範囲以内になった状態からこの引込範囲の外側に向かって変化した場合、図３の例では例えば符号（３）、（４）、（５）のように変化した場合、引込範囲の外側に設定された第２の範囲となる保持範囲以内ではヒステリシス信号６は０の値を保持する。
【００１５】
これに対してＡＣＣ検波信号４が、保持範囲外になるとヒステリシス信号６は０ではない線形の入出力特性に沿って（つまり、ＡＣＣ検波信号４の値に応じて）変化する。  
このようにヒステリシス信号生成部７は、基準レベルを中央値としてその上下に、比較的狭い値で設定される第１の範囲としての引込範囲と、この引込範囲の外側に設定された第２の範囲としての保持範囲とでヒステリシス特性を示す。  
引込範囲と保持範囲の値は、ＡＣＣ回路１が搭載されたカラーテレビジョン受像機の特性等に応じて可変設定することができる。  
次に本実施形態に係るＡＣＣ回路１の動作を説明する。  
図４は入力信号としての搬送色信号２ａに対応したピーク検波信号１６の振幅が小さすぎる状態から適正なレベルに引き込まれる動作の説明図を示す。  
まず図４（ａ）の状態はピーク検波信号１６が基準レベルに達していない状態であり、ＡＣＣアンプ回路１１のゲインが不足している状態にある。
【００１６】
この状態ではＡＣＣ検波部５から出力されるＡＣＣ検波信号４は正の値で、例えば保持範囲の外側にある。このＡＣＣ検波信号４は、ヒステリシス信号生成部７に図３の符号（１）に相当する信号として入力され、その場合の縦軸の値、この場合には正の値のヒステリシス信号６が生成される。  
このヒステリシス信号６は、積分回路１８により積分されてゲイン制御信号１９を増加させることにより、ＡＣＣアンプ回路１１のゲインを上げるように働く。この結果、次の周期（水平期間）ではピーク検波信号１６は同図（ｂ）のように振幅が大きくなっている。  
しかし、この例では、まだ基準レベルに達していないで、同図（ｂ）に示すように正のＡＣＣ検波信号４となる。このＡＣＣ検波信号４は、ヒステリシス信号生成部７に例えば、図３の符号（２）に相当する信号として入力される。
【００１７】
この場合、ＡＣＣ検波信号４の値は、同図の符号（１）の場合よりも小さくなり、例えば保持範囲内で、かつ引込範囲の外側である。そのため、ヒステリシス信号生成部７は、この場合の縦軸の値、つまり正の値のヒステリシス信号６を生成する。このヒステリシス信号６は、図４（ａ）の場合よりも低いが正の値となるため、同図（ｂ）に示すようにゲイン制御信号１９を増加させる。  
そのため前述の動作と同じように、このゲイン制御信号１９は、ＡＣＣアンプ回路１１のゲインを上げるように動作し、同図（ｃ）へと移る。この状態でもピーク検波信号１６は、基準レベルには達していないで、正のＡＣＣ検波信号がヒステリシス信号生成部７に入力される。
【００１８】
この場合、ＡＣＣ検波信号４が、ヒステリシス信号生成部７における引込範囲内になると、図３の符号（３）に相当する信号として入力されることになる。この場合には、同図に示すように０の値のヒステリシス信号６が生成される。このため、ゲイン制御信号１９は、図４（ｂ）の場合と同じ同図（ｃ）に示す値となる。  
このため、ＡＣＣアンプ回路１１のゲインは、前の周期の状態（同図（ｃ）の状態）が保持され、同図（ｄ）に示すピーク検波信号１６となる。そして、以後は、同図（ｃ）と同じ状態の同図（ｄ）に示すＡＣＣ検波信号４、ヒステリシス信号６、ゲイン制御信号１９が継続することになる。  
なお、図４においては、ＡＣＣ検波信号４が、保持範囲の外側の状態から引込範囲内に至る代表的なプロセスを示しているので、実際にはこれらの中間的なプロセスもあり得る。他の説明図の場合も同様である。
【００１９】
図３及び図４を参照して説明したように本実施形態に係るＡＣＣ回路１は、小さい振幅の搬送色信号２ａが入力信号として入力された場合、ＡＣＣループにより、ＡＣＣ検波信号４を基準レベルに近づくようにゲイン制御する。  
そして、このＡＣＣ回路１は、ＡＣＣ検波信号４がヒステリシス信号生成部７における（基準レベル近傍に設定された）引込範囲内に達した場合には、ヒステリシス信号６を０にする。これにより、ヒステリシス信号生成部７を有しない（後述する）ＡＣＣ回路の場合のＡＣＣフリッカの発生を有効に防止でき、安定したＡＣＣループ動作を実現できる。  図４では小さい振幅の搬送色信号２ａが入力された場合、ＡＣＣループにより、ＡＣＣ検波信号４が基準レベルの近傍の引込範囲内に引き込まれる動作を説明したが、逆に振幅が大きい搬送色信号２ａが入力された場合においても、ＡＣＣループにより、ＡＣＣ検波信号４が基準レベルの近傍の引込範囲内に引き込まれる。
【００２０】
この場合には、図３における例えば符号（１）、（２）、（３）と原点Ｏに関して反転させたような関係となる符号（１′）、（２′）、（３′）のような経路により引き込まれることになる。  
また、このＡＣＣ回路１は、積分回路１８として１水平期間以上の任意の周期で積分するもので済むため、１水平期間毎の変化に応答する速い応答性を実現することができる。また、引込範囲内に入った後においても、その応答性が低下しない。以下、その具体例を図５を参照して説明する。  
次に図５を参照して、ＡＣＣ検波信号４が引込範囲内にある状態において、搬送色信号２ａの振幅が受信チャンネルの切り替えなどにより大きく変化した場合におけるＡＣＣ回路１の動作を説明する。
【００２１】
図５（ａ）は、図３における例えば符号（３′）の状態に相当する。この状態はピーク検波信号１６が基準レベルよりも例えば僅かに大きいとしている。この場合のＡＣＣ検波信号４は、図５（ａ）に示すように引込範囲内となり、ヒステリシス信号６は０となる。  この状態において、例えばユーザによる受信チャンネルの切り替えにより、同図（ｂ）に示すようにピーク検波信号１６が基準レベルよりも大きくなるように変化したとする。  この場合のＡＣＣ検波信号４は、図３における保持範囲の外側となる例えば符号（１′）に相当する。この場合にはこのＡＣＣ検波信号４のレベルに対応した負の値のヒステリシス信号６が生成される。  
このヒステリシス信号６により、前の周期のゲイン制御信号１９を減少させる。これにより、ピーク検波信号１６は、図５（ｃ）に示すように同図（ｂ）の場合よりも基準レベル側に近くなる。この場合のＡＣＣ検波信号４は、例えば保持範囲内となるが、引込範囲の外側であるとすると、図３における例えば符号（２′）に相当する。
【００２２】
この場合においてもＡＣＣ検波信号４のレベルに対応した負の値のヒステリシス信号６が生成される。  
このヒステリシス信号６により、前の周期のゲイン制御信号１９を減少させる。これにより、ピーク検波信号１６は、図５（ｄ）に示すように同図（ｃ）の場合よりも基準レベル側に近くなる。この場合のＡＣＣ検波信号は、例えば引込範囲内となる。この場合のＡＣＣ検波信号は、図３における例えば符号（３′）に対応する。従って、ヒステリシス信号６は０となり、以後は図５（ｄ）の状態を維持する。  
なお、同図（ａ）の状態において、同図（ｂ）の場合よりも振幅が小さい変化の場合には、同図（ａ）から同図（ｃ）のように変化する可能性がある。この場合にも、ＡＣＣループにより同図（ｄ）の状態に引き込まれるようになる。
【００２３】
図５を用いて説明したように本実施形態に係るＡＣＣ回路１は、引込範囲内に入った後においても、その応答性が低下しないメリットを備えている。  
なお、図５（ｂ）は、ピーク検波信号１６が基準レベルを超える側に大きく変化した場合を示しているが、その逆にピーク検波信号１６が基準レベルより小さくなるように変化する場合もある。例えば図３における符号（３）の状態から符号（５）や符号（４）に変化する場合もある。このような場合においても、ＡＣＣループにより、図４で説明した場合と殆ど同様にＡＣＣ検波信号４が引込範囲内に入るように動作する。  
図６はＡＣＣ回路１の場合における単発ノイズの影響に対する動作説明図を示す。  
同図（ａ）は、ピーク検波信号１６が基準レベルに殆ど一致する状態、つまりＡＣＣ検波信号４が引込範囲内にある状態における各部の波形を示す。
【００２４】
この状態においては、ヒステリシス信号生成部７に入力されるＡＣＣ検波信号４は図３における原点Ｏ付近に相当し、その場合のヒステリシス信号６は０となり、ゲイン制御信号１９は前の周期の値を維持する。  
この状態において、バースト信号に単発ノイズが混入すると、ピーク検波回路１４によるピーク検波信号１６は、図６（ｂ）に示すように基準レベルを超える。  
このため、ＡＣＣ検波信号４は、同図（ｂ）に示すように負の極性となり、ヒステリシス信号生成部７に入力される。  
本実施形態においては、バースト信号に混入する単発ノイズに対して、例えば大部分の単発ノイズの場合に対して、その場合のＡＣＣ検波信号４の値がヒステリシス信号生成部７の保持範囲内に入るように、その保持範囲が設定（調整）されている。
【００２５】
単発ノイズがこの条件を満たす場合（同図（ｂ）に示す単発ノイズは、図３における例えば符号（４′）に相当する）では、図６（ｂ）に示すようにヒステリシス信号６は０を保持し、従って、ゲイン制御信号１９も同図（ａ）の場合と同じ値となる。  
そして、同図（ｃ）に示すように単発ノイズが混入しない状態に戻った場合、同図（ａ）と同じ状態で動作し、安定した動作を維持する。  
また、同図（ｃ）の状態において、仮に上記の条件を満たさない同図（ｄ）に示すようにより大きな単発ノイズが混入した場合には、ＡＣＣ検波信号４は負となる。これに伴って、ゲイン制御信号１９のレベルが減少し、ＡＣＣアンプ回路１１のゲインを下げる。
【００２６】
これにより、以後は（図６では示していないが、図５（ｂ）以降で示したのと殆ど同様に）ピーク検波信号１６のピーク値を下げてＡＣＣ検波信号４が引込範囲内に入るようにＡＣＣループの動作が機能する。  
上述したように本実施形態に係るＡＣＣ回路１は、応答性が良好で、かつ安定したオートカラーコントロール機能を有する。  
上述したように本実施形態に係るＡＣＣ回路１においては、ヒステリシス信号生成部７が設けてある。これに対して、このＡＣＣ回路１におけるヒステリシス信号生成部７を設けない参考例のＡＣＣ回路３１の構成を図７に示す。  
この参考例のＡＣＣ回路３１の場合には、ＡＣＣ検波部５のＡＣＣ検波信号４は、ゲイン可変部３の積分回路１８に入力され、その積分出力がゲイン制御信号としてＡＣＣアンプ回路１１に印加される。この参考例のＡＣＣ回路３１におけるその他の構成は、図２と同様の構成であり、その説明を省略する。
【００２７】
このＡＣＣ回路３１の場合には、例えば図８に示すようなゲイン制御精度不足によるＡＣＣループの過渡応答が生じる。まず同図（ａ）の状態はピーク検波信号１６が基準レベルに達していない状態であり、ＡＣＣアンプ回路１１の利得が不足している状態にある。  この状態ではＡＣＣ検波信号４は正の値として出力され、積分回路１８によりゲイン制御信号を増加させることにより、ＡＣＣアンプ回路１１のゲイン（利得）を上げるように働く。この結果、次の周期ではピーク検波信号１６は同図（ｂ）のように振幅が大きくなっている。  
しかし、まだ基準レベルに達していないため前述の動作と同じようにＡＣＣアンプ回路１１のゲインを上げるように動作し、同図（ｃ）へと移る。この状態でも基準レベルには達しておらずさらにＡＣＣアンプ回路１１のゲインは増加し同図（ｄ）となる。
【００２８】
同図（ｄ）ではピーク検波信号１６は基準レベルよりも大きくなり、ＡＣＣ検波信号４は負の値として取り出されるため、ゲイン制御信号は前の周期（同図（ｃ）の状態）よりも低くなりＡＣＣアンプ回路１１のゲインを下げるように動作し、同図（ｅ）へと移る。同図（ｅ）でピーク検波信号１６は再び基準レベルに達しない状態となり、ＡＣＣアンプ回路１１のゲインを上げるように動作する。ここからは同図（ｄ）と同図（ｅ）を繰り返すような状態になる。  
このようにピーク検波信号１６が基準レベルに安定することなく基準レベルを上下することにより色差信号の振幅が変動するため、画面上の色の濃さも同様に変化を繰り返し、一般的にＡＣＣフリッカと呼ばれる現象が発生する。  
また、図９は搬送色信号２ａのバースト信号が単発ノイズの影響を受けた場合についての参考例におけるＡＣＣループの応答を示したものである。
【００２９】
まず図９（ａ）はＡＣＣループが安定している状態である。同図（ｂ）は単発ノイズの影響を受けた搬送色信号２ａを復調し、ピーク検波されたピーク検波信号１６の振幅が大きくなっていることを示している。これによってゲイン制御信号はゲインを下げる方向に動作する。同図（ｃ）でもまだ単発ノイズの影響が残っており同図（ｄ）において元の振幅に戻っている。このように単発ノイズの影響が数周期にわたって残ってしまうため、ＡＣＣフリッカが発生する。  
これに対して、上述した本実施形態に係るＡＣＣ回路１は、ＡＣＣフリッカの発生を有効に防止できる。  
なお、ゲイン制御信号１９をＡＣＣアンプ回路１１に印加してそのゲインを可変制御することにより、ＡＣＣ検波信号４が引込範囲の外側から引込範囲内に確実に引き込まれるように以下のように制御しても良い。
【００３０】
具体的に説明すると、ＡＣＣループゲインが例えば大きいような場合、ＡＣＣ検波信号４が引込範囲の外側にある状態からＡＣＣループにより、図３における符号（１）から例えば符号（６）を経て引込範囲を超えて反対側の引込範囲の外側となる符号（７）まで変化する可能性があり得る。  
このようなプロセスの場合には、引込範囲内に引き込まれるまでに時間がかかってしまうことになってしまう。これを防止するために、例えば引込範囲の外側から引込範囲に近いレベルにＡＣＣ検波信号４がなった状態（具体例では符号（６）に近い状態）をモニタする。  
そして、引込範囲に近いレベルにＡＣＣ検波信号４がなったその場合には、ゲイン制御信号１９によるＡＣＣアンプ回路１１のゲインの変化幅を抑制する。これにより、引込範囲を超えて反対側の引込範囲の外側まで変化しないようにＡＣＣ検波信号４の変化幅を抑制でき、より円滑かつ確実に引込範囲内に引き込まれるようにできる。
【００３１】
上記のようにゲイン制御信号１９の変化幅を抑制する手段或いは方法として、例えばヒステリシス信号生成部７により、引込範囲と保持範囲との２つの範囲の他にさらに第３の範囲となるゲイン変化抑制範囲を設定しても良い。  
このゲイン変化抑制範囲は、例えば引込範囲と、少なくともその外側で引込範囲寄り側となる保持範囲内（例えば保持範囲の中央値）との間に設定される。  
そして、保持範囲の外側から保持範囲内側に向かってＡＣＣループによりＡＣＣ検波信号４が変化するプロセスにおいて、このＡＣＣ検波信号４がゲイン変化抑制範囲内に入った場合には、以下のように制御する。つまり、その範囲内に入った場合の検出信号により、ヒステリシス信号生成部７は、ゲイン制御信号１９の変化量を設定値以下に抑制（制限）するゲイン変化抑制信号を出力する。
【００３２】
或いはヒステリシス信号生成部７は、このヒステリシス信号生成部７から出力されるヒステリシス信号６の変化幅を抑制するようにしても良い。。  
この制御により、ＡＣＣ検波信号４が引込範囲を飛び越して変化することを抑制し、円滑かつ確実にＡＣＣ検波信号４が引込範囲内に引き込まれるようにする。また、引込範囲内に入った場合には、ヒステリシス信号生成部７はゲイン変化抑制を解除する。これにより、受信チャンネルの切り替えなどに対する応答速度が低下することを防止できる。  
なお、ＡＣＣ回路１は、アナログ回路で構成することもできるが、デジタル回路で構成することもできる。この場合には、デジタルの搬送色信号２ａが入力されるＡＣＣアンプ回路１１は、例えば乗算器（或いは除算器）で構成される。  
また、積分回路１８は、例えば１水平期間毎に、デジタルのヒステリシス信号生成部７から出力されるデジタルのヒステリシス信号を加減算（アップ／ダウン計数）して、その計数出力をゲイン制御信号として乗算器に出力するアップ／ダウンカウンタ回路により構成することができる。
【図面の簡単な説明】
【００３３】
【図１】図１は本発明の一実施形態に係るＡＣＣ回路の構成を示すブロック図。
【図２】図２は一実施形態に係るＡＣＣ回路の構成例を示すブロック図。
【図３】図３はヒステリシス信号生成部のヒステリシスを有する入出力特性を示す特性図。
【図４】図４は振幅が小さい状態の入力信号が所定のレベルに引き込まれていく場合の各部の波形を示す動作説明図。
【図５】図５は振幅が大きい状態の入力信号が所定のレベルに引き込まれていく場合の各部の波形を示す動作説明図。
【図６】図６は単発ノイズが入った場合の各部の波形を示す動作説明図。
【図７】図７は参考例のＡＣＣ回路の構成例を示すブロック図。
【図８】図８は参考例においてゲイン制御精度による影響を受けた場合の各部の波形を示す動作説明図。
【図９】図９は参考例において単発ノイズが入った場合の各部の波形を示す動作説明図。
【符号の説明】
【００３４】
１…ＡＣＣ回路
２ａ…搬送色信号
３…ゲイン可変部
４…ＡＣＣ検波信号
５…ＡＣＣ検波部
６…ヒステリシス信号
７…ヒステリシス信号生成部
１１…ＡＣＣアンプ回路
１２…復調回路
１７…ＡＣＣ検波回路
１８…積分回路
１９…ゲイン制御信号
【図１】
2008113229.tif 000003
【図２】
2008113229.tif 000004
【図３】
2008113229.tif 000005
【図４】
2008113229.tif 000006
【図５】
2008113229.tif 000007
【図６】
2008113229.tif 000008
【図７】
2008113229.tif 000009
【図８】
2008113229.tif 000010
【図９】
2008113229.tif 000011